(57)【特許請求の範囲】
【請求項１】
ケース内部のフレームに取付けられ回転軸がケース外部に突出する回転電子部品の前記回転軸を回転させるため前記回転軸に嵌合する内面と、前記回転軸に嵌合する内面と段差を介して拡開された拡開される内面とを有し、つまみ体が一体に形成された回転つまみの回転トルク調整装置において、前記フレームとケースとの間に、前記回転軸を挿通させる筒状部と前記筒状部の下端から外側に延びる円板形状部とで形成されるゴム弾性部材を介在させており、前記ゴム弾性部材は円板形状部と前記フレームまたはケースに対する摩擦力により回転が止められ、
前記回転つまみの拡開される内面と前記ゴム弾性部材の筒状部の外面との少なくとも一方に凹凸が形成され、前記回転つまみの拡開される内面と前記ゴム弾性部材の筒状部の外面との摩擦力により回転トルクを発生させる携帯通信機用回転つまみの回転トルク調整装置。
【請求項２】
前記ゴム弾性部材は前記ケースの前記回転軸を挿通させる穴からの水の侵入を防止する防水パッキングである請求項１の携帯通信機用回転つまみの回転トルク調整装置。
【請求項３】
前記回転つまみの拡開される内面に形成される凹凸は前記回転軸に沿う方向に延びる複数のリブである請求項１または２の携帯通信機用回転つまみの回転トルク調整装置。
【発明の詳細な説明】
【技術分野】
【０００１】
この発明は携帯通信機用に係わり、特に、その回転つまみの回転トルク調整装置に関する。
【背景技術】
【０００２】
従来の携帯通信機用回転つまみの回転トルク調整装置の例を図４により説明する。図４に示すケース１はその内部に配置されるシャシ、プリント基板等のフレーム２と締着されている。ボリューム、ロータリエンコーダ等の回転電子部品３は軸受３ｂで回転軸３ａを回転自在に支持している。
【０００３】
フレーム２の穴から突出した軸受３ｂの周囲のおねじにナット４が締め付けられ回転電子部品３は、その回転軸３ａがケース１の穴から突出するようにしてケース１に固定されている。
【０００４】
この回転軸３ａを挿通させるようにフレーム２に載置されたゴム製のパッキング５は筒状部５ａの下端から円板形状部５ｂが外側に延びる形状となおり、円板形状部５ｂの上面にループ状突起のリブ５ｅが形成され、筒状部５ａの上端には外側突起５ｃと内側突起５ｄがドーナツ状に形成されている。
【０００５】
フレーム２にケース１が固定されると、リブ５ｅはケース１に押しつぶされ、さらに、回転軸３ａに回転つまみ８を嵌着すると、外側突起５ｃが回転つまみ８の内面に圧接し、内側突起５ｄが回転軸３ａに圧接する。
【０００６】
上記パッキング５はフレーム２とケース１に対する摩擦により回転が止められており、回転つまみ８とパッキング５の外側突起５ｃとの摩擦により、回転つまみ８の回転に伴うトルクが発生する。また、パッキング５のリブ５ｅと内側突起５ｄとにより、機器内部への防水効果が得られる。
【０００７】
上記した携帯通信機用回転つまみの回転トルク調整装置では、外側突起５ｃと回転つまみ８内面とが蜜嵌合し、内側突起５ｄと回転軸３ａとが蜜嵌合状態となるため、回転つまみ８を回転軸３ａに嵌合させるときに、回転つまみ８内の空気が圧縮されて高圧となる。この高圧空気は回転つまみ８を回転軸３ａから外すように作用しており、衝撃等が加わったときに回転つまみ８が外れることがあった。
【０００８】
特開２００４−３４９５８０号公報に開示された従来の回転トルク調整装置は、円筒形状部の下端から円板形状部が外側に延びる介在弾性部材を、つまみ体が嵌着される回転軸とケース体の円筒状部との間に介在させ、円板形状部の外周とケース体の円筒状部の内面との摩擦によりつまみ体の回転に伴うトルクを得る構成となっている。
【０００９】
この回転トルク調整装置でも、つまみ体が回転軸に嵌着されるときにつまみ体内部の空気が圧縮され上記した図４で説明した従来の回転トルク調整装置のものと同様の問題があった。
【特許文献１】特開２００４−３４９５８０号公報、段落００２２、図１
【発明の開示】
【発明が解決しようとする課題】
【００１０】
この発明は上記した点に鑑みてなされたものであって、その目的とするところは、回転つまみ内に圧縮空気が溜まることがなく、衝撃等で回転つまみが抜ける恐れのない携帯通信機用回転つまみの回転トルク調整装置を提供することにある。
【課題を解決するための手段】
【００１１】
この発明の携帯通信機用回転つまみの回転トルク調整装置は、ケース内部のフレームに取付けられ回転軸がケース外部に突出する回転電子部品の前記回転軸を回転させるため前記回転軸に嵌合する内面と、前記回転軸に嵌合する内面と段差を介して拡開された拡開される内面とを有し、つまみ体が一体に形成された回転つまみの回転トルク調整装置において、前記フレームとケースとの間に、前記回転軸を挿通させる筒状部と前記筒状部の下端から外側に延びる円板形状部とで形成されるゴム弾性部材を介在させており、前記ゴム弾性部材は円板形状部と前記フレームまたはケースに対する摩擦力により回転が止められ、前記回転つまみの拡開される内面と前記ゴム弾性部材の筒状部の外面との少なくとも一方に凹凸が形成され、前記回転つまみの拡開される内面と前記ゴム弾性部材の筒状部の外面との摩擦力により回転トルクを発生させるものである。
【００１２】
また、前記携帯通信機用回転つまみの回転トルク調整装置において、前記ゴム弾性部材を前記ケースの前記回転軸を挿通させる穴からの水の侵入を防止する防水パッキングとしたものである。
【００１３】
また、前記各携帯通信機用回転つまみの回転トルク調整装置において、前記回転つまみの拡開される内面に形成される凹凸を前記回転軸に沿う方向に延びる複数のリブとしたものである。
【発明の効果】
【００１４】
この発明の携帯通信機用回転つまみの回転トルク調整装置によれば、回転つまみ内に圧縮空気が溜まることがなく、衝撃等で回転つまみが抜ける恐れがない。
【発明を実施するための最良の形態】
【００１５】
以下この発明を実施するための最良の形態を実施例に即して説明する。図１はこの発明の実施例である携帯通信機用回転つまみの回転トルク調整装置を示す断面図、図２は同回転トルク調整装置の部材を示す斜視図、図３は図１におけるＡ−Ａ断面図である。
【００１６】
図１に示すケース１はその内部に配置されるシャシ、プリント基板等のフレーム２と締着されている。ボリューム、ロータリエンコーダ等の回転電子部品３は軸受３ｂで回転軸３ａを回転自在に支持している。
【００１７】
フレーム２の穴から突出した軸受３ｂの周囲のおねじにナット４が締め付けられ回転電子部品３は、その回転軸３ａがケース１の穴から突出するようにしてケース１に固定されている。
【００１８】
この回転軸３ａを挿通させるようにフレーム２に載置されたゴム製のパッキング５は筒状部５ａの下端から円板形状部５ｂが外側に延びる形状となおり、円板形状部５ｂの上面にループ状突起のリブ５ｅが形成され、筒状部５ａの上端には外側突起５ｃと内側突起５ｄがドーナツ状に形成されている。
【００１９】
フレーム２にケース１が固定されると、リブ５ｅはケース１に押しつぶされる。このようにケース１の穴から突出した回転軸３ａに図２にも詳しく示す回転つまみ６を嵌着する。回転つまみ６の内面には軸方向に沿うリブ６ａ、６ａ…（図１で斜線で示す）が４個等間隔に設けられている。この回転つまみ６を回転軸３ａに嵌着すると、外側突起５ｃが回転つまみ８の内面に圧接し、内側突起５ｄが回転軸３ａに圧接する。
【００２０】
図３に回転つまみ６に嵌着したときのパッキング５の変形状態を示している。パッキング５はゴム弾性を有しており、リブ６ａのような長方形断面の部材に押されると変形するが、リブ６ａの両側に空隙が発生する。すなわち、図３に示すように空隙７、７…が発生しており、この空隙７、７…に空気が流れるため、回転つまみ６内部に圧縮空気が残って回転つまみ６が外れることがなくなる。
【００２１】
上記パッキング５はフレーム２とケース１に対する摩擦により回転が止められており、回転つまみ６の内面とのパッキング５の外側突起５ｃとの摩擦により回転つまみ６の回転に伴うトルクが発生する。また、パッキング５のリブ５ｅと内側突起５ｄとにより、機器内部への防水効果が得られる。
【００２２】
回転つまみ６の内面とのパッキング５の外側突起５ｃとの摩擦の他に、パッキング５のヒステリシス損失によっても回転に伴うトルクが得られる。すなわち、ゴム弾性物質はエントロピー弾性を有するので、変形するときの弾力に比べ変形が戻るときの弾力が小さいヒステリシス（履歴）特性を有する。
【００２３】
このヒステリシス特性によりエネルギー損失が生じるが、それに伴うトルクは摩擦抵抗に比較して安定している。すなわち、摩擦抵抗は擦れ合う部材の寸法変化や表面の硬度や荒さの変化に応じて大きく変化するが、ヒステリシス特性による抵抗は変化が小さい。そのために、この実施例の携帯通信機用回転つまみの回転トルク調整装置はパッキング５の変形箇所の移動に伴い安定したトルクが得られる。さらに、パッキング５により防水効果も得られる。
【００２４】
実施例は以上のように構成されているが発明はこれに限られず、例えば、回転つまみ６の内面に設ける凹凸はリブでなくシボであってもこの発明の効果が得られる。また、パッキング５に凹凸を設けてもよい。
【図面の簡単な説明】
【００２５】
【図１】この発明の実施例である携帯通信機用回転つまみの回転トルク調整装置を示す断面図である。
【図２】同回転トルク調整装置の部材を示す斜視図である。
【図３】図１におけるＡ−Ａ断面図である。
【図４】従来の携帯通信機用回転つまみの回転トルク調整装置の例を示す断面図である。
【符号の説明】
【００２６】
１  ケース
２  フレーム
３  回転電子部品、３ａ  回転軸、３ｂ  軸受
４  ナット
５  パッキング、５ａ  筒状部、５ｂ  円板形状部、５ｃ  外側突起、５ｄ  内側突起５ｅ  リブ
６  回転つまみ、６ａ  リブ
７  空隙
８  回転つまみ
【図１】
0005109629.tif 000002
【図２】
0005109629.tif 000003
【図３】
0005109629.tif 000004
【図４】
0005109629.tif 000005